(57)【要約】【課題】認識結果として表示される文字列の各文字について同形異字種文字の存否の判別及び同形異字種文字がある場合の第１候補文字の文字種と他の候補文字の文字種との判別を容易にし、文字認識の誤りをオペレータが簡単に見つけ出すことができる候補文字表示方法及びプログラムの提供。【解決手段】認識結果表示欄２２に表示される認識結果（文字列）に同形異字種文字を有する文字がある場合はその文字を強調表示し、同形異字種文字であることが簡単にわかるようにし、認識文字確認欄２４に表示されている候補文字のうち、認識結果表示欄２２に認識結果として表示されている候補文字にマーク（レ点）２８をつけてどの候補文字が認識結果表示欄２２に表示されているかをオペレータが正否判断をしやすいようにする。【選択図】  図２
2004206599.tif 000002
【特許請求の範囲】
【請求項１】
文字認識装置による文字認識処理後に出力される認識結果を表示し、表示されている認識結果の確認を行う際に当該認識結果の候補文字を表示し、その際に、表示されている認識結果に対応する候補文字を他の候補文字とは差別表示する、ことを特徴とする候補文字表示方法。
【請求項２】
文字認識装置による文字認識処理後に出力される認識結果を表示し、その際に、認識結果に同形異字種文字があるか否かを調べ、同形異字種文字がある場合はその認識結果を差別表示する、ことを特徴とする候補文字表示方法。
【請求項３】
文字認識装置による文字認識処理後に出力される認識結果を表示し、表示されている認識結果の確認を行う際に当該認識結果の候補文字を表示し、その際に、表示される認識結果に対応する候補文字が当該認識結果の同形異字種文字か否かを調べ、同形異字種文字である場合は当該候補文字の文字種を表示する、ことを特徴とする候補文字表示方法。
【請求項４】
文字認識装置による文字認識処理後に出力される認識結果を表示し、その際に、認識結果に同形異字種文字があるか否かを調べ、同形異字種文字がある場合はその認識結果を差別表示し、表示されている認識結果の確認を行う際に当該認識結果の候補文字を表示し、表示される認識結果に対応する候補文字を他の候補文字とは差別表示する、ことを特徴とする候補文字表示方法。
【請求項５】
文字認識装置による文字認識処理後に出力される認識結果を表示し、その際に、認識結果に同形異字種文字があるか否かを調べ、同形異字種文字がある場合はその認識結果を差別表示し、表示されている認識結果の確認を行う際に当該認識結果の候補文字を表示し、その際に、表示される認識結果に対応する候補文字を他の候補文字とは差別表示し、表示される認識結果に対応する候補文字が当該認識結果の同形異字種文字か否かを調べ、同形異字種文字である場合は当該候補文字の文字種を表示する、ことを特徴とする候補文字表示方法。
【請求項６】
前記差別表示は前記認識結果に対応する候補文字またはその近傍にマークを表示することによって行うことを特徴とする請求項１乃至５のいずれか１項に記載の候補文字表示方法。
【請求項７】
前記差別表示は前記認識結果に対応する候補文字を強調表示することによって行うことを特徴とする請求項１乃至５のいずれか１項に記載の候補文字表示方法。
【請求項８】
文字認識装置によって実行されるプログラムであって、文字認識処理後に出力される認識結果を表示させるステップと、認識結果に同形異字種文字があるか否かを調べさせるステップと、同形異字種文字がある場合はその認識結果を差別表示させるステップと、表示されている認識結果の確認を行う際に当該認識結果の候補文字を表示させ、表示される認識結果に対応する候補文字を他の候補文字とは差別表示させるステップと、表示されている認識結果の確認を行わせるステップと、を備えたことを特徴とする候補文字表示プログラム。
【請求項９】
文字認識装置によって実行されるプログラムであって、文字認識装置による文字認識処理後に出力される認識結果を表示させるステップと、認識結果に同形異字種文字があるか否かを調べさせるステップと、同形異字種文字がある場合はその認識結果を差別表示させるステップと、表示されている認識結果の確認を行う際に当該認識結果の候補文字を表示させるステップと、表示される認識結果に対応する候補文字を他の候補文字とは差別表示させるステップと、表示される認識結果に対応する候補文字が当該認識結果の同形異字種文字か否かを調べさせるステップと、同形異字種文字である場合は当該候補文字の文字種を表示させるステップと、表示される認識結果の確認を行わせるステップとを、備えたことを特徴とする候補文字表示プログラム。
【発明の詳細な説明】
【０００１】
【発明の属する技術分野】
本発明は、文字認識処理時の候補文字表示技術に関する。
【０００２】
【従来の技術】
文字認識処理ではＯＣＲ等の文字認識装置で読み取った文字を認識した後で、認識結果の候補文字を表示装置に表示し、オペレータの確認（選択）を求める方法がとられている。しかしながら、漢字を認識して表示する際、同形異字種文字（例えば、カタカナの「カ」と漢字の「力」（ちから）」、カタカナの「タ」と漢字の「夕」（ゆう））がある文字が認識結果（第１候補文字）として表示された場合、オペレータは誤認識であっても、表示された認識結果を見て「正しい」と判断してしまう場合（例えば、実際は漢字の「力」（ちから）である文字イメージを認識した結果、カタカナの「カ」が認識結果として表示されたような場合）がある。
【０００３】
ここで、例えば、文字認識の結果をデータベースに記憶し、検索して利用する場合、上述のように間違った文字を正しいものとしてオペレータが確認（選択）してしまうと誤った認識結果を含む文字列からなるデータがデータベース等に記憶されることとなり、検索する際に該当するデータが検索されないといった不都合が生じることとなる。
【０００４】
このような不都合の発生を回避するものとして、従来、認識結果の表示方法として、認識結果として出力された第１候補文字に同形異字種文字が存在する場合に、第１候補文字とその同形異字文字種を併せて表示する方法がある（例えば、特許文献１参照）。
【０００５】
また、認識結果を表示する際に、オペレータが選択指定した文字コードに属する文字と属さない文字に分類し、属する文字と属さない文字の表示色を変えたり、或いは、下線などの修飾を付加することにより区別して表示する方法もある（例えば、特許文献２参照）。
【０００６】
また、入力された文字データの認識候補文字の文字種を表示すると共に、表示画面上の決められた場所に確保されている別の表示領域に、他の認識候補文字とその文字種も表示する方法もある（例えば、特許文献３参照）。
【０００７】
また、マウスのカーソルで指定した認識対象文字の文字コード及び属性を表示し、マウスでダブルクリックすると別の同形異字種文字を表示すると共にその文字コード及び属性を表示する方法もある（例えば、特許文献４）。
【０００８】
また、認識された文字や文字列の属性を表示する方法もある（例えば、特許文献５）。
【０００９】
【特許文献１】
特公平７−９７３９５号公報
【特許文献２】
特許第３３１００６３号公報
【特許文献３】
特開平８−１９０６０３号公報
【特許文献４】
特開８−２７２８９７号公報
【特許文献５】
特開６−２２３２２１号公報
【００１０】
【発明が解決しようとする課題】
しかしながら、上記特許文献１に開示の技術では、図７に示すように認識結果７１の表示枠内に同形異字種の字種７２も表示するので、同形異字種文字の表示領域を画面上に常に確保しておかねばならず、この結果、決められた画面の限られた領域に表示できる認識結果（認識された文字列）の数を少なくしなければならず、表示する認識結果の数を実用性を保つ程度に多くするために文字を小さく表示すると読みにくくなるといった問題点がある。
【００１１】
また、上記特許文献２に開示の技術では、オペレータが対象となる候補文字が属すると思われる分類を選択しなければならず、作業が煩雑で手間がかかる点と、表示される文字色や文字修飾がどの文字種に属するかを覚えていなければならないといった問題点がある。
【００１２】
また、上記特許文献３に開示の技術では、該当する認識結果の文字種を表示する際に、表示する文字種の数だけ表示領域を確保しておくため、この表示の際に広い表示領域を必要とするといった問題点があった。なお、同文献には表示する候補の数を減らす方法についても記載があるが、この場合、候補が多い文字が入力されると表示や選択に手間がかかるといった問題点がある。また、同文献に開示の技術はタブレットに入力ペン文字データが入力された際に、キー操作で表示選択や指示を行って逐次他の認識候補の文字種を表示する場合には好適であるが、ＯＣＲで帳票や伝票を読み込み、文字認識して認識対象文字イメージと認識結果を入力された帳票や伝票形式にあわせて多くの文字を画面に同時表示するような処理では操作が煩瑣であり適していないといった問題点があった。
【００１３】
また、上記特許文献４に開示の技術では、該当する認識結果の文字がどの分類に属するかを表示する際に、文字コードも表示するので画面上で広い表示領域を必要とするといった問題点がある。また、一度に１候補分のデータのみを表示するので複数の候補がある場合にはそれらの表示に手間がかかり、本来の変換結果を選択するためには不便であるといった問題点がある。
【００１４】
また、上記特許文献５に開示の技術では、図８に示すように１文字の候補文字８１とその属性（文字種）８２を示すことができるが、文字認識後に認識結果（第１候補文字）として表示される文字の文字種がどれかわからないのでオペレータは目視で認識結果として表示されている文字がどの文字種であり、実際の文字の文字種と一致しているか否かを目視で判断しなければならず判断を誤りやすく、且つ煩わしいといった問題点があった。また、図９に示すように文字列９１の属性９２を示すこともできるが、文字列を構成する文字の中に同形異字種文字がある文字があった場合で誤って認識されているような場合（例えば、原稿は漢字文字列「力関係」（ちからかんけい）であるが認識後の文字列は第１番目の文字がカタカナの「カ」として認識され「カ関係」（かかんけい）と表示された場合）には文字列の文字種自体が表示できないばかりか、どの文字が誤って認識されたかを知るためには目視によって判断しなければならないといった問題点がある。
【００１５】
本発明は、上記従来技術の問題点を解消するためになされたものであり、認識結果として表示される文字列の各文字について同形異字種文字の存否の判別及び同形異字種文字がある場合の第１候補文字の文字種と他の候補文字の文字種との判別を容易にし、文字認識の誤りをオペレータが簡単に見つけ出すことができる候補文字表示方法及びプログラムの提供を目的とする。
【００１６】
【課題を解決するための手段】
上記課題を解決するために、第１の発明の候補文字表示方法は、文字認識装置による文字認識処理後に出力される認識結果を表示し、表示されている認識結果の確認を行う際に当該認識結果の候補文字を表示し、その際に、表示されている認識結果に対応する候補文字を他の候補文字とは差別表示する、ことを特徴とする。
【００１７】
また、第２の発明の候補文字表示方法は、文字認識装置による文字認識処理後に出力される認識結果を表示し、その際に、認識結果に同形異字種文字があるか否かを調べ、同形異字種文字がある場合はその認識結果を差別表示する、ことを特徴とする。
【００１８】
また、第３の発明の候補文字表示方法は、文字認識装置による文字認識処理後に出力される認識結果を表示し、表示されている認識結果の確認を行う際に当該認識結果の候補文字を表示し、その際に、表示される認識結果に対応する候補文字が当該認識結果の同形異字種文字か否かを調べ、同形異字種文字である場合は当該候補文字の文字種を表示する、ことを特徴とする。
【００１９】
また、第４の発明の候補文字表示方法は、文字認識装置による文字認識処理後に出力される認識結果を表示し、その際に、認識結果に同形異字種文字があるか否かを調べ、同形異字種文字がある場合はその認識結果を差別表示し、表示されている認識結果の確認を行う際に当該認識結果の候補文字を表示し、表示される認識結果に対応する候補文字を他の候補文字とは差別表示する、ことを特徴とする。
【００２０】
また、第５の発明の候補文字表示方法は、文字認識装置による文字認識処理後に出力される認識結果を表示し、その際に、認識結果に同形異字種文字があるか否かを調べ、同形異字種文字がある場合はその認識結果を差別表示し、表示されている認識結果の確認を行う際に当該認識結果の候補文字を表示し、その際に、表示される認識結果に対応する候補文字を他の候補文字とは差別表示し、表示される認識結果に対応する候補文字が当該認識結果の同形異字種文字か否かを調べ、同形異字種文字である場合は当該候補文字の文字種を表示する、ことを特徴とする。
【００２１】
また、第６の発明は上記第１乃至第５のいずれかの発明の候補文字表示方法において、差別表示は認識結果に対応する候補文字またはその近傍にマークを表示することによって行うことを特徴とする。
【００２２】
また、第７の発明は上記第１乃至第５のいずれかの発明の候補文字表示方法において、差別表示は認識結果に対応する候補文字を強調表示することによって行うことを特徴とする。
【００２３】
また、第８の発明の候補文字表示プログラムは、文字認識装置によって実行されるプログラムであって、文字認識処理後に出力される認識結果を表示させるステップと、認識結果に同形異字種文字があるか否かを調べさせるステップと、同形異字種文字がある場合はその認識結果を差別表示させるステップと、表示されている認識結果の確認を行う際に当該認識結果の候補文字を表示させ、表示される認識結果に対応する候補文字を他の候補文字とは差別表示させるステップと、表示されている認識結果の確認を行わせるステップと、を備えたことを特徴とする。
【００２４】
また、第９の発明の候補文字表示プログラムは、文字認識装置によって実行されるプログラムであって、文字認識装置による文字認識処理後に出力される認識結果を表示させるステップと、認識結果に同形異字種文字があるか否かを調べさせるステップと、同形異字種文字がある場合はその認識結果を差別表示させるステップと、表示されている認識結果の確認を行う際に当該認識結果の候補文字を表示させるステップと、表示される認識結果に対応する候補文字を他の候補文字とは差別表示させるステップと、表示される認識結果に対応する候補文字が当該認識結果の同形異字種文字か否かを調べさせるステップと、同形異字種文字である場合は当該候補文字の文字種を表示させるステップと、表示される認識結果の確認を行わせるステップとを、備えたことを特徴とする。
【００２５】
【発明の実施の形態】
図１は文字認識装置の機能ブロック図である。
文字認識装置１０は、文字認識装置１０全体の動作を制御すると共に、候補文字表示制御プログラムに従って文字認識後の認識文字表示制御を行う制御部１１と、オペレータによる指示を行う指示部１２と、原稿を光学的に読み取って電気信号（イメージデータ）に変換する読取部１３と、読取部１３によって変換されたイメージデータから文字イメージを切り出し、認識辞書１７を用いて文字認識を行い認識結果（第１位候補文字）を出力する認識部１４と、認識部１４からの認識結果を複数まとめてなる文字列に対し単語辞書１８を用いて単語照合を行う単語照合部１５と、文字認識又は単語照合後の認識結果を表示する表示部１６を備えている。ここで、指示部１２はマウス等のポインティングデバイスまたはキー入力部であり、オペレータによる表示指示や確認等を行う手段であり、操作が行われると操作に対応付けられた信号（コード）が制御部１１に送出される。
【００２６】
図２は本発明に基く候補文字表示の一実施例を示す図である。
図２で、符号２０は認識結果表示画面、符号２１は読み取られた文字イメージを表示する文字イメージ表示欄、符号２２は認識結果を表示する認識結果表示欄、符号２４は認識文字確認欄、符号２５は候補順位（この例では１〜５）、符号２６は認識結果表示欄２２に表示された各文字の候補文字（この例では認識順位２５の順位１〜５に従った順位で表示されている）、符号２７は各候補文字の文字種であり、同形異字種文字がある場合のみ表示される（図で、順位４の「ヱ」と順位５の「土」は第１候補文字である「工」（漢字（こう））の同形異字種文字ではないので文字種２７は表示されていない）、符号２８は認識結果表示欄２２に表示されている文字がどの候補文字であるかを示すマーク（この例ではレ点）、符号２９は認識結果表示欄２２に表示されている文字列の文字のうち認識文字確認欄２４に表示する文字の長さを変更するためのカーソルボタン、符号３０は認識結果表示欄２２に表示されている文字が誤っている場合に正しい認識文字を候補順位２５の順位１〜５以降の表示されていない候補を表示するためのスクロールボタン、符号３１は操作により認識結果を確定させる確定ボタンを意味する。
【００２７】
また、認識結果表示欄２２で符号２３で示されている文字は認識結果である文字列のうち同形異字種文字がある文字を判別しやすいように強調して示したものであり、この例では枠（斜線）で囲って示しているが、強調方法はこれに限定されない。例えば、文字の表示色を変えたり、アンダーラインをつけるようにしてもよいし、文字列の近くに「？」等のマークを表示するようにしてもよい。
【００２８】
また、同形異字種文字がある場合のみ表示される文字種２７は、カタカナ、漢字、ひらがな、英数字等のような文字の分類を意味し、実施例では類似文字テーブルに登録されている場合のみ表示される。なお、類似文字テーブルは実施例では候補文字表示制御プログラム中で文字コードテーブルとして規定されているが、類似文字テーブルに代えて文字認識装置１０に、別途、類似文字テーブルを備えるようにしてもよい。
【００２９】
図２の例では｛アキ工業所｝（あきこうぎょうしょ）という文字イメージの認識結果であり、文字イメージ表示欄２１にはこの文字イメージが表示され、認識結果表示欄２２には認識結果「アキエ業所」が表示されているが第３番目に誤認識があり、漢字「工」の同形異字種文字「エ」（え（カタカナ））が表示されているが限られた時間で確認を行わねばならないオペレータにとって目視では「工」と「エ」の判別が難しく間違いやすいし、漢字「工」に同形異字種文字があるので要注意であるといった認識も全ての文字について持つことは事実上難しい。
【００３０】
つまり、認識結果表示欄２２に表示される認識結果（文字列）に同形異字種文字を有する文字があることが簡単にわかればその文字列を認識文字確認欄２４に表示してチェックしたり訂正したりすることができる。このために、実施例では図示のように認識結果表示欄２２に表示される認識結果（文字列）の文字のうちに同形異字種文字を有する文字がある場合にはその文字を符号２３で示すように強調表示している。なお、認識結果表示欄２２に表示される認識結果（１文字或いは単語等の文字列）に同形異字種文字を有する文字があることを示す方法はこれに限定されない。例えば、文字列全体を強調表示してもよく、文字列の後部またはその他の場所にその旨を意味するメッセージやマークを表示するようにしてもよい。
【００３１】
また、認識文字確認欄２４に表示された各候補文字についてもどの候補文字が認識結果表示欄２２に認識結果として表示されているかがオペレータにわかればオペレータは文字イメージ表示欄２１に表示されている文字イメージと及びその前後を見比べて正解文字か否かを判断することができる。
【００３２】
つまり、文字認識装置１０で認識部１４からは１文字ごとに第１候補文字が認識結果として出力されるので認識結果表示欄２２に表示される単語でない文字列に付いては常に第１候補文字が表示されるが、文字列が単語（実施例では、通常の単語と、得意先や常套的に使用する摘要語句等）の場合は単語照合部１５で単語照合を行った結果、別の候補文字が認識結果となる場合があり、認識結果表示欄２２に表示される文字列のうち第１候補文字以外の文字が認識結果として表示される場合がある（例えば、図２の例で、「工」を１文字で認識したときは正しく「工」（漢字のこう）と認識するが、単語照合の際に「アキエ（あきえ）」という単語が登録されているために最終的な認識結果としては「エ」（カタカナのえ）として認識されている）ので、認識文字確認欄２４に表示された各候補文字のうちどの候補文字が認識結果として表示されているかを一目でわかることが望ましい。
【００３３】
このために、実施例では認識結果表示欄２２に表示されている文字がどの候補文字であるかをレ点で示すようにしているがレ点に限定されず、他のマークでもよい。また、対応する候補文字の表示色を変えたり、アンダーライン、枠線等で強調するようにしてもよい。また、図５、図６の例に示すように候補文字の文字種を表示するようにすれば同形異字種文字の正否判断がさらに容易になる。
【００３４】
図３は候補文字表示時の制御部による表示制御動作の一実施例を示すフローチャートであり、候補文字表示制御プログラムによる制御部１１の表示制御動作、つまり、文字認識装置１０で読取部１３で読み取った原稿１枚分の文字イメージについて認識部１４での文字認識後の文字認識装置１０の動作を示す。
【００３５】
文字認識後、制御部１１は候補文字を表示部１６に表示し（ステップＳ０）、単語照合部１５に表示されている文字列の単語照合準備を行なわせる。単語照合部１５は単語辞書１８から単語辞書データを読み出してＲＡＭに展開する（ステップＳ１）。
【００３６】
オペレータは、図４（ａ）に示すように表示部１６に表示されている文字列のうち、カーソル３５を操作して所望の文字を指定してから候補表示要求操作を行うと（ステップＳ２）、候補文字数ｎが文字数カウンタにセットされる（ステップＳ３）。
【００３７】
次に、制御部１１は文字数カウンタの値ｎを調べ、ｎ＜１なら単語候補表示を終了し、ｎ＝１ならステップＳ５に進み、ｎ＞１ならステップＳ７に進む（ステップＳ４）。
【００３８】
文字数ｎが１の場合は、ＲＡＭに保持されている候補文字のうち認識結果と一致する候補文字に一致フラグを付け（ステップＳ５）、カーソル位置の文字に係わる候補文字（実施例では第１〜第５候補文字）を図４（ｂ）に示すように認識文字確認欄４４に表示し、ステップＳ９に進む。なお、この際、一致フラグが付けられている候補文字にはマーク（実施例ではレ点）を付けて表示する（ステップＳ６）。
【００３９】
また、文字数ｎが２以上の場合は、ＲＡＭに展開した単語辞書データを検索しｎ個の連続した文字が一致するデータを検索し、ステップＳ８に進む。なお、文字列を連続したｎ個の文字で区切ったとき、同一の候補文字がある場合には１つだけ表示する（ステップＳ７）。次に、検索した単語を認識文字確認欄４４に表示し、ステップＳ９に進む（ステップＳ８）。
【００４０】
図４（ｂ）の例で、オペレータは認識文字確認欄４４に表示された候補文字を見て、単語の文字数を多くしたい場合はカーソルボタン４９の右矢印をマウスでクリックし、少なくしたい場合はカーソルボタン４９の左矢印をクリックし、改行したい場合はスクロールボタン５０の下矢印をクリックし、認識結果を確定したい場合は確定ボタン５１をクリックするので（ステップＳ９）、制御部１１は指示部１２からの信号を調べ、カーソルボタン４９の左矢印がクリックされた場合はステップＳ１１に進み、右矢印がクリックされた場合はステップＳ１２に進み、確定ボタン５１がクリックされた場合はステップＳ１３に進む（ステップＳ１０）。
【００４１】
カーソルボタン４９の左矢印がクリックされた場合は、文字数カウンタから１を差し引いてステップＳ４に戻る。これにより、カーソル３５を左方向に短くし、表示する文字の数（＝候補文字列の長さ）が１文字分だけ減る（ステップＳ１１）。
【００４２】
カーソルボタン４９の右矢印がクリックされた場合は、文字数カウンタに１を加えてステップＳ４に戻る。これにより、カーソル３５を右方向に長くし、表示する文字の数（＝候補文字列の長さ）を１文字分だけ増やす（ステップＳ１２）。
【００４３】
確定ボタン５１がクリックされた場合は、カーソル位置のデータ（候補文字）で対応する認識結果、つまり、認識結果表示欄２２に表示されている単語の対応する文字を更新し、認識文字確認欄４４での候補表示を終了する（つまり、認識文字確認欄４４を閉じる）。また、確定ボタン５１がクリックされた場合はそのまま認識文字確認欄４４での候補表示を終了する（ステップＳ１３）。
【００４４】
なお、上記図３のステップＳ１０及びステップＳ１３で、確定ボタン５１をクリックする代わりに、認識文字確認欄４４のうちの選択したい候補をダブルクリックしてもよい。また、図２に示したように認識文字確認欄４４に表示される文字列（この例では、単語）のなかの文字に同形異字種文字があった場合にその文字を強調表示したり、文字列にマークを付けるようにしてもよく、このようにする場合には、上記図３のステップＳ２とＳ３の間、或いはステップＳ３とＳ４の間に、「制御部１１は表示されている候補文字で同形異字種文字を登録した類似文字テーブルを検索し、同形異字種文字があった場合はその候補文字を強調表示する」ステップ、或いは「制御部１１は表示されている候補文字で同形異字種文字を登録した類似文字テーブルを検索し、同形異字種文字があった場合はその候補文字の近傍にマークを表示する」ステップを設けるようにする。
【００４５】
また、図５、図６に示すように認識文字確認欄４４に表示される候補文字の文字種を表示するようにしてもよく、この場合は上記ステップＳ６でカーソル位置の認識候補表示の際に「カーソル位置の文字に係わる候補文字を認識文字確認欄に表示し、ステップＳ９に進む。なお、この際、文字種も合わせて表示するようにする。また、一致フラグが付けられている候補文字にはマーク（実施例ではレ点）を付けて表示する」ように構成する。
【００４６】
図４は文字認識後に表示される候補文字に対するオペレータの確認操作及び候補文字表示例の説明図であり、会計伝票の摘要欄の文字認識を例としている。また、図５、図６は候補文字表示の際に文字種を表示するようにした例を示す図である。
【００４７】
先ず、図４（ａ）は伝票の摘要欄を示し、符号３５はカーソル、符号４１は摘要イメージを表示する文字イメージ表示欄、符号４２は認識結果を表示する認識結果表示欄、符号４４は認識文字確認欄、符号４５は候補順位、符号４６は認識結果表示欄４２に表示された各文字の候補文字、符号４７は各候補文字の文字種、符号４９は左右伸縮用のカーソルボタン、符号５０は上下スクロール用のスクロールボタンである。また、認識結果表示欄４２で符号４３で示されている「？」は認識結果である文字列のうち同形異字種文字があることを示すマークである。
【００４８】
この例では、伝票の摘要文字「１２月分  アキ工業所」（１２がつぶん  あきこうぎょうしょ）が文字イメージ表示欄４１に表示され、その認識結果である文字列「アキ工業所」が認識結果表示欄４２に表示されている。また、マーク４３（「？」）により、文字列の中に同形異字種文字を有する文字があることがわかる。
【００４９】
ここで、カーソル位置で候補表示操作、例えば候補表示ボタン（図示せず）をクリックすると、図４（ｂ）に示すように現在カーソル３５が位置している文字（この例では、文字列のうちの１番目の文字）の認識候補文字４６が候補順位４５にしたがって認識結果表示欄４２に表示される。この場合、文字「ア」（あ）には同形異字種文字がないので文字種は表示されない。
【００５０】
次に、カーソルボタン４９の右方向矢印をクリックするか→キーを押すと認識結果表示欄４２に表示されている文字列のうちの１番目と２番目の文字からなる文字列「アキ」の単語候補が検索され図４（ｃ）に示すように認識結果表示欄４２に表示される。
【００５１】
更に、カーソルボタン４９の右方向矢印をクリックするか→キーを押すと認識結果表示欄４２に表示されている文字列のうちの１〜３番目の文字「アキ工」の単語候補が検索され図４（ｄ）に示すように認識結果表示欄４２に表示される。
【００５２】
図４（ｄ）の例の場合、文字「工」（こう）には同形異字種文字があるので、図５に示すように文字種４７を表示するようにしてもよい。ここで、図５（ａ）は同形異字種でない文字の文字種を表示しないようにした例であり、図５（ｂ）は認識文字確認欄４４に表示される文字列のうち、第１候補文字からなる文字列に同形異字種文字がある場合には、文字種が変わる毎に文字種４７を表示すると共に他の候補文字の文字種も表示するようにした例である。
【００５３】
また、更に、カーソルボタン４９の右方向矢印をクリックするかキーボードの矢印（→）キーを押して認識結果表示欄４２に表示されている文字列の最後の文字「所」までカーソルを伸ばすと、文字列全体（１〜５番目の文字列）の単語候補が検索され図４（ｅ）に示すように認識結果表示欄４２に表示される。この例では、１つの単語（登録済みの取引先名）のみが表示されている。図４（ｅ）の例の場合、文字「工」（こう）には同形異字種文字があるので、図６に示すように文字種４７を表示するようにしてもよい。
以上、本発明の一実施例について説明したが本発明は上記実施例に限定されるものではなく、種々の変形実施が可能であることはいうまでもない。
【００５４】
【発明の効果】
上記説明したように、第１、第４及び第５の発明の候補文字表示方法と第８の発明の候補文字表示プログラムによれば、認識結果の確認の際に表示される各候補文字についてどの候補文字が認識結果として表示されているかがオペレータに簡単にわかるので、オペレータは差別表示されている候補文字と文字イメージを見比べて正解文字か否かを簡単に判断することができる。
【００５５】
また、第２、第４及び第５の発明の候補文字表示方法と第９の発明の候補文字表示プログラムによれば、表示される認識結果に同形異字種文字を有する文字があることが簡単にわかるので、オペレータは、従来判断を誤りやすかった同形異字種文字のある認識結果を確認表示してチェックしたり訂正したりすることが容易にできる。
【００５６】
また、第３及び第５の発明の候補文字表示方法と第９の発明の候補文字表示プログラムによれば、表示される認識結果に同形異字種文字を有する文字がある場合はその文字種を表示するので、オペレータは、同形異字種文字のある認識結果の確認や訂正がより容易にできる。
【００５７】
また、第６の発明の候補文字表示方法とに第９の発明の候補文字表示プログラムによれば、よれば、対象とする認識結果または候補文字に直接、或いはその近傍にマークをつけるので、オペレータにわかりやすい。
【００５８】
また、第７の発明の候補文字表示方法によれば、対象とする認識結果または候補文字を強調表示するので、第６の発明と同様オペレータにわかりやすい。
【図面の簡単な説明】
【図１】文字認識装置の機能ブロック図である。
【図２】本発明に基く候補文字表示の一実施例を示す図である。
【図３】候補文字表示時の制御部による表示制御動作の一実施例を示すフローチャートである。
【図４】文字認識後に表示される候補文字に対するオペレータの確認操作及び候補文字表示例の説明図である。
【図５】候補文字表示の際に文字種を表示するようにした例を示す図である。
【図６】候補文字表示の際に文字種を表示するようにした例を示す図である。
【図７】従来技術による候補文字表示方法の説明図である。
【図８】従来技術による候補文字表示方法の説明図である。
【図９】従来技術による候補文字表示方法の説明図である。
【符号の説明】
１０  文字認識装置
２３  強調表示
２６  候補文字
２７  文字種
２８  マーク
【図１】
2004206599.tif 000003
【図２】
2004206599.tif 000004
【図３】
2004206599.tif 000005
【図４】
2004206599.tif 000006
【図５】
2004206599.tif 000007
【図６】
2004206599.tif 000008
【図７】
2004206599.tif 000009
【図８】
2004206599.tif 000010
【図９】
2004206599.tif 000011